(57)【要約】      （修正有）【課題】ユーザにおけるカタログ使用等、オブジェクトの使用状況の情報収集を可能とし、その情報の有効活用を通じて、オブジェクト供給コストを回収する。【解決手段】建築ＣＡＤプログラムで、オブジェクト組込によってオブジェクトのＣＡＤデータを建築ＣＡＤプログラムに組み込んだとき、あるいはカタログ参照によってオブジェクトの詳細を参照したときには、ラジオボタンによって送信可と設定されているユーザの情報がカタログ頒布者に送信される。これによって、カタログ頒布者は電子カタログの使用状況、およびＣＡＤデータの使用状況という貴重なマーケッティング情報を収集することができ、その情報の有効活用を通じて、カタログ頒布コストを回収し得る。また、送信可否設定権限を有する者が、パスワードによる認証を受けた上で、送信可の設定を行わない限り、情報が送信されることはないので、ユーザは不測の情報漏洩を危惧することない。【選択図】図７
2008193531.tif 000002
【特許請求の範囲】
【請求項１】
オブジェクトに関連する画像データと、当該オブジェクトに関連する文字データであって当該画像データとは独立の文字データと、当該オブジェクトに関連するＩＰアドレスとを含むオブジェクトデータであって、当該画像データと文字データとの相互の関連を示す指標を有する、複数のオブジェクトデータを、格納したオブジェクトデータ供給者のコンピュータ（以下、オブジェクトデータ供給者側コンピュータという。）と、前記オブジェクトデータを受信するユーザのコンピュータ（以下、ユーザ側コンピュータという。）と、前記オブジェクト供給者側コンピュータとユーザ側コンピュータとを接続する通信手段と、
を備えた、オブジェクトデータ供給システムであって、
前記オブジェクトデータ供給者側コンピュータは、前記オブジェクトデータにおける前記画像データ、文字データおよびＩＰアドレスの全てあるいは一部を前記ユーザ側コンピュータに送信する送信手段を備え、
前記ユーザ側コンピュータは、
前記指標に基づいて相互に関連する前記画像データ、文字データおよびＩＰアドレスを抽出するオブジェクトデータ抽出手段と、
相互に関連する前記画像データと文字データとを、関連付けて表示する表示手段と、
前記通信手段を介して前記ＩＰアドレスにアクセスするアクセス手段と、
を備えたオブジェクトデータ供給システム。
【請求項２】
前記ＩＰアドレスは前記文字データに含まれている請求項１記載のオブジェクトデータ供給システム。
【請求項３】
前記ＩＰアドレスは、前記画像データおよび文字データとは独立のデータであり、かつ前記画像データおよび文字データとの関連を示す指標を有する、請求項１記載のオブジェクトデータ供給システム。
【請求項４】
前記オブジェクト供給者側コンピュータは、前記ユーザ側コンピュータに格納された、前記オブジェクトデータにおける前記画像データ、文字データおよびＩＰアドレスの全部または一部を、前記通信手段を介して修正する、修正手段をさらに備えた、請求項１乃至３のいずれかに記載のオブジェクトデータ供給システム。
【請求項５】
前記ユーザ側コンピュータは、前記ユーザに関する情報を入力するユーザ情報入力手段をさらに備え、
前記アクセス手段は、前記ＩＰアドレスにアクセスする際に、前記ユーザ情報を当該ＩＰアドレスに送信する、
請求項１乃至４のいずれかに記載のオブジェクトデータ供給システム。
【請求項６】
前記ユーザ側コンピュータにおける前記アクセス手段は、所定の条件が満足されたとき、自動的に前記ＩＰアドレスにアクセスする、
請求項１乃至５のいずれかに記載のオブジェクトデータ供給システム。
【請求項７】
前記ユーザ側コンピュータは、前記アクセス手段の、前記ユーザ情報の送信を許可するアクセス許可手段をさらに備え、前記アクセス手段は、前記アクセス許可手段についてアクセス許可が設定されたときにのみ、前記ＩＰアドレスに前記ユーザ情報を送信する、請求項５または６記載のオブジェクトデータ供給システム。
【請求項８】
前記アクセス許可手段におけるアクセス許可は、前記オブジェクトごとに設定可能である、請求項５または６記載のオブジェクトデータ供給システム。
【請求項９】
前記オブジェクトデータは、商品のデータである、請求項１乃至８のいずれかに記載のオブジェクトデータ供給システム。
【請求項１０】
前記ユーザ側コンピュータは、前記商品に関する見積り依頼を、前記ＩＰアドレスに送信する見積り依頼手段をさらに備えた、請求項９記載のオブジェクトデータ供給システム。
【請求項１１】
前記ユーザ側コンピュータは、前記オブジェクトの在庫状況に関する問合せを、前記ＩＰアドレスに送信する在庫状況問合せ手段をさらに備えた、請求項８乃至１０のいずれかに記載のオブジェクトデータ供給システム。
【請求項１２】
前記ＩＰアドレスは、商品の販売者に関連したアドレスである請求項８乃至１１のいずれかに記載のオブジェクトデータ供給システム。
【請求項１３】
前記オブジェクトデータは商品カタログであるオブジェクトデータ供給システム。
【請求項１４】
通信手段を備えたコンピュータで実行され、コンピュータが読み取り可能なプログラムコードを含み、オブジェクトに関連する画像データと、当該オブジェクトに関連する文字データであって当該画像データとは独立の文字データと、当該オブジェクトに関連するＩＰアドレスと、を含むオブジェクトデータを用いて画像を生成する、画像生成プログラムであって、
前記オブジェクトデータを選択するオブジェクト選択ステップと、
当該オブジェクトの画像データを画像中に配置する画像データ配置ステップと、
前記通信手段を介して、当該オブジェクトの前記ＩＰアドレスにアクセスするアクセスステップと、
を備えた画像生成プログラム。
【請求項１５】
前記ＩＰアドレスは前記文字データに含まれる請求項１４記載の画像生成プログラム。
【請求項１６】
前記ＩＰアドレスは、前記画像データおよび文字データとは独立のデータであり、かつ前記画像データおよび文字データとの関連を示す指標を有する、請求項１４記載の画像生成プログラム。
【請求項１７】
前記コンピュータのユーザに関する情報を取得するユーザ情報取得ステップをさらに備え、
前記アクセスステップは、前記ＩＰアドレスにアクセスする際に、前記ユーザ情報を当該ＩＰアドレスに送信する、
請求項１４乃至１６のいずれかに記載の画像生成プログラム。
【請求項１８】
商品に関連する画像データと、当該商品の供給者に関連するＩＰアドレスを含み当該商品に関連する文字データであって当該画像データとは独立の文字データと、を含む商品データであって、当該画像データと文字データとの相互の関連を示す指標を有する、複数の商品データを格納した商品データ供給者のコンピュータ（以下、送品データ供給者側コンピュータという。）から、通信手段を介して、前記商品データを利用するユーザのコンピュータ（以下、ユーザ側コンピュータという。）に提供される商品データ供給サービスであって、
前記商品データ供給者側コンピュータは、前記オブジェクトデータにおける前記画像データ、文字データおよびＩＰアドレスの全てあるいは一部を前記ユーザ側コンピュータに送信する送信手段と、
前記オブジェクトデータにおける前記画像データ、文字データおよびＩＰアドレスの全部または一部を、前記通信手段を介して修正する、修正手段と、
を備えた商品データ供給サービス。
【発明の詳細な説明】
【技術分野】
【０００１】
本発明は、オブジェクトデータ供給システム、画像生成プログラムおよび商品データ供給サービスに関する。
【背景技術】
【０００２】
例えば、建材、建築設備のカタログは、建材メーカ等（カタログ頒布者という）が制作し、ハウスメーカ等に頒布するが、ハウスメーカでは、必要な建材等を切り抜いて、仕様書やスケッチに貼付して使用し、一部の内容が切り抜かれ、使用された段階で、1冊のカタログが廃棄されることが多かった。
これは資源の浪費であり、カタログ頒布コストは充分に生かされない。
【０００３】
一方、商品の電子カタログが普及しつつあり、特許文献１記載のように、電子カタログの標準化も始められている。特許文献１は、ユーザがカタログから取得する部品データの重複を防止し、ユーザの利便性を確保している。
【０００４】
【特許文献１】特開２００６−０２４２３５号公報
【発明の開示】
【発明が解決しようとする課題】
【０００５】
特許文献１の電子カタログシステムはサプライヤが構築した電子カタログデータベースを、ユーザがオンラインで検索するものであるが、データの修正、更新はデータベース上で実行され、その処理は極めて専門的である。また、ユーザに、修正、更新を通知するには、多大のコストを要する。
【０００６】
すなわちカタログ頒布コストは膨大であるが、商品カタログは販促活動に不可欠であり、電子カタログにおいても、ＣＡＤデータ制作費用等が多大であり、そのコスト削減には限界がある。
【０００７】
本発明はこのような従来の問題点を解消すべく創案されたもので、ユーザにおけるカタログ使用等、オブジェクトの使用状況の情報収集を可能とし、その情報の有効活用を通じて、オブジェクト供給コストを回収することを目的とする。
【課題を解決するための手段】
【０００８】
（請求項１）
本発明は、オブジェクトに関連する画像データと、当該オブジェクトに関連する文字データであって当該画像データとは独立の文字データと、当該オブジェクトに関連するＩＰアドレスとを含むオブジェクトデータであって、当該画像データと文字データとの相互の関連を示す指標を有する、複数のオブジェクトデータを、格納したオブジェクトデータ供給者のコンピュータ（以下、オブジェクトデータ供給者側コンピュータという。）と、前記オブジェクトデータを受信するユーザのコンピュータ（以下、ユーザ側コンピュータという。）と、前記オブジェクト供給者側コンピュータとユーザ側コンピュータとを接続する通信手段とを備えた、オブジェクトデータ供給システムであって、前記オブジェクトデータ供給者側コンピュータは、前記オブジェクトデータにおける前記画像データ、文字データおよびＩＰアドレスの全てあるいは一部を前記ユーザ側コンピュータに送信する送信手段を備え、前記ユーザ側コンピュータは、前記指標に基づいて相互に関連する前記画像データ、文字データおよびＩＰアドレスを抽出するオブジェクトデータ抽出手段と、相互に関連する前記画像データと文字データとを、関連付けて表示する表示手段と、前記通信手段を介して前記ＩＰアドレスにアクセスするアクセス手段とを備える。
これによって、オブジェクトデータの文字データおよび／またはＩＰアドレスの修正が容易である。またユーザがＩＰアドレスにアクセスすることによってユーザの情報を収集できる可能性があり、オブジェクト供給コストを回収し得る。
【０００９】
（請求項２、３）
本発明に係るオブジェクト供給システムにおいて、前記ＩＰアドレスは前記文字データに含まれ、あるいは、前記ＩＰアドレスは、前記画像データおよび文字データとは独立のデータであり、かつ前記画像データおよび文字データとの関連を示す指標を有する。
【００１０】
（請求項４）
本発明に係るオブジェクト供給システムにおいて、前記オブジェクト供給者側コンピュータは、前記ユーザ側コンピュータに格納された、前記オブジェクトデータにおける前記画像データ、文字データおよびＩＰアドレスの全部または一部を、前記通信手段を介して修正する、修正手段をさらに備えてもよい。
これによって、常時最新のオブジェクトデータをユーザに供給できる。
【００１１】
（請求項５）
本発明に係るオブジェクト供給システムにおいて、前記ユーザ側コンピュータは、前記ユーザに関する情報を入力するユーザ情報入力手段をさらに備え、前記アクセス手段は、前記ＩＰアドレスにアクセスする際に、前記ユーザ情報を当該ＩＰアドレスに送信する。
これによってユーザ情報が確実にユーザ側コンピュータに送信される。
【００１２】
（請求項６）
本発明に係るオブジェクト供給システムにおいて、前記ユーザ側コンピュータにおける前記アクセス手段は、所定の条件が満足されたとき、自動的に前記ＩＰアドレスにアクセスしてもよい。
これによってユーザ情報が確実にユーザ側コンピュータに送信される。
【００１３】
（請求項７、８）
本発明に係るオブジェクト供給システムにおいて、前記ユーザ側コンピュータは、前記アクセス手段の、前記ユーザ情報の送信を許可するアクセス許可手段をさらに備え、前記アクセス手段は、前記アクセス許可手段についてアクセス許可が設定されたときにのみ、前記ＩＰアドレスに前記ユーザ情報を送信してもよい。さらに、前記アクセス許可手段におけるアクセス許可は、前記オブジェクトごとに設定可能としてもよい。
これによって、不測のユーザ情報の漏洩を防止でき、ユーザに安心感を与えることができる。
【００１４】
（請求項９）
本発明に係るオブジェクト供給システムにおいて、前記オブジェクトデータは、例えば商品のデータである。
【００１５】
（請求項１０）
本発明に係るオブジェクト供給システムにおいて、前記ユーザ側コンピュータは、前記商品に関する見積り依頼を、前記ＩＰアドレスに送信する見積り依頼手段をさらに備えてもよい。
【００１６】
（請求項１１）
本発明に係るオブジェクト供給システムにおいて、前記ユーザ側コンピュータは、前記オブジェクトの在庫状況に関する問合せを、前記ＩＰアドレスに送信する在庫状況問合せ手段をさらに備えてもよい。
【００１７】
（請求項１２）
本発明に係るオブジェクト供給システムにおいて、前記ＩＰアドレスは、例えば、商品の販売者に関連したアドレスである。
【００１８】
（請求項１３）
本発明に係るオブジェクト供給システムにおいて、前記オブジェクトデータは、例えば、商品カタログである、
【００１９】
（請求項１４）
本発明は、通信手段を備えたコンピュータで実行され、コンピュータが読み取り可能なプログラムコードを含み、オブジェクトに関連する画像データと、当該オブジェクトに関連する文字データであって当該画像データとは独立の文字データと、当該オブジェクトに関連するＩＰアドレスと、を含むオブジェクトデータを用いて画像を生成する、画像生成プログラムであって、前記オブジェクトデータを選択するオブジェクト選択ステップと、当該オブジェクトの画像データを画像中に配置する画像データ配置ステップと、前記通信手段を介して、当該オブジェクトの前記ＩＰアドレスにアクセスするアクセスステップとを備える。
これによって、オブジェクトデータの画像データを用いた画像生成に関連して、ユーザ情報を収集できる可能性があり、オブジェクト供給コストを回収し得る。
【００２０】
（請求項１５、１６）
本発明に係る画像生成プログラムにおいて、前記ＩＰアドレスは前記文字データに含まれ、あるいは、前記ＩＰアドレスは、前記画像データおよび文字データとは独立のデータであり、かつ前記画像データおよび文字データとの関連を示す指標を有する。
【００２１】
（請求項１７）
本発明に係る画像生成プログラムにおいて、前記コンピュータのユーザに関する情報を取得するユーザ情報取得ステップをさらに備え、前記アクセスステップは、前記ＩＰアドレスにアクセスする際に、前記ユーザ情報を当該ＩＰアドレスに送信してもよい。
これによってユーザ情報が確実にユーザ側コンピュータに送信される。
【００２２】
（請求項１８）
本発明は、商品に関連する画像データと、当該商品の供給者に関連するＩＰアドレスを含み、当該商品に関連する文字データであって当該画像データとは独立の文字データと、含む商品データであって、当該画像データと文字データとの相互の関連を示す指標を有する、複数の商品データを、格納した商品データ供給者のコンピュータ（以下、商品データ供給者側コンピュータという。）から、通信手段を介して、前記商品データを利用するユーザのコンピュータ（以下、ユーザ側コンピュータという。）に提供される商品データ供給サービスであって、前記商品データ供給者側コンピュータは、前記オブジェクトデータにおける前記画像データ、文字データおよびＩＰアドレスの全てあるいは一部を前記ユーザ側コンピュータに送信する送信手段と、前記オブジェクトデータにおける前記画像データ、文字データおよびＩＰアドレスの全部または一部を、前記通信手段を介して修正する、修正手段とを備える。
これによって、商品データの文字データおよび／またはＩＰアドレスの修正が容易であるとともに、商品データを常に最新状態にアップデートすることができる。またユーザがＩＰアドレスにアクセスすることによってユーザの情報を収集できる可能性があり、オブジェクト供給コストを回収し得る。
【発明の効果】
【００２３】
本発明によれば、商品データ等のオブジェクトデータにおける文字データおよび／またはＩＰアドレスの修正が容易であり、またユーザがＩＰアドレスにアクセスすることによってユーザの情報を収集できる可能性があり、オブジェクト供給コストを回収し得る。
【発明を実施するための最良の形態】
【００２４】
次に、本発明に係るオブジェクトデータ供給システム、画像生成プログラム、商品データ供給サービスを図面に基づいて説明する。
【実施例】
【００２５】
［オブジェクトデータ供給システム／オブジェクトデータ供給サービス］
図１は、本発明に係るオブジェクトデータ供給システムの一実施例を示すブロック図、図２は、図１のオブジェクトデータ供給者側コンピュータを示すブロック図、図３は、図１のユーザ側コンピュータを示すブロック図である。
【００２６】
図１において、オブジェクトデータ供給システムはネットワークＩＮ（通信手段）と、ネットワークＩＮに接続された、１社または複数のオブジェクトデータ供給者のコンピュータ（以下、オブジェクトデータ供給者側コンピュータという。）ＳＶ、１社または複数社の第１のユーザのコンピュータ（以下、ユーザ側コンピュータという。）ＰＭ１、ＰＭ２、．．．、ＰＭｎ、１社または複数の第２のユーザ側コンピュータＨＭ１、ＨＭ２、．．．、ＨＭｍ、１社（人）または複数社（人）の第３のユーザ側コンピュータＣＬ１、ＣＬ２、．．．、ＣＬＮを備える。
【００２７】
ユーザＰＭ１〜ＰＭｎは、例えば、建材メーカであり、ユーザＨＭ１〜ＨＭｍは、例えばハウスメーカであり、ユーザＣＬ１〜ＣＬＮは例えば設計事務所、施主等である。
【００２８】
オブジェクトデータ供給者側コンピュータＳＶは、ユーザＰＭ１〜ＰＭｎからオブジェクトデータＯＢＪや複数のオブジェクトデータを含むカタログデータＣＴＤの提供を受け、さらには独自にデータを収集、作成し、これらのデータを格納しておく。
【００２９】
ユーザＰＭ１〜ＰＭｎ、ＨＭ１〜ＨＭｍ、ＣＬ１〜ＣＬＮは、オブジェクトデータ供給者側コンピュータＳＶにアクセスすることにより、オブジェクトデータ供給者側コンピュータＳＶに格納されたオブジェクトデータを取得し得る。
【００３０】
このように、オブジェクトデータに対応した商品を販売する建材メーカ等に替わって、オブジェクトデータ供給者（コンピュータＳＶ）においてオブジェクトデータの提供（オブジェクトデータ供給サービス）を行うこととすれば、個々の建材メーカはオブジェクトデータ提供のためのサーバを準備する必要はなく、一方、オブジェクトデータ使用状況の情報は、オブジェクトデータ提供者ＳＶを通じて建材メーカ等に提供される。従って、建材メーカにおいては、オブジェクトデータ供給の設備投資を節減し得るとともに、オブジェクトデータ使用状況の情報収集の有効活用を通じて、オブジェクトデータ供給コストを回収し得る。
【００３１】
図２において、コンピュータＳＶは、ネットワークＩＮに接続されて、コンピュータＰＭ１〜ＰＭｎ、ＨＭ１〜ＨＭｍ、ＣＬ１〜ＣＬＮとの通信を実行するための通信インターフェース１０８０を有し、通信インターフェース１０８０はバス１０９０に接続されている。
【００３２】
オブジェクトデータはネットワークＩＮを通じて、コンピュータＳＶからコンピュータＰＭ１〜ＰＭｎ、ＨＭ１〜ＨＭｍ、ＣＬ１〜ＣＬＮがダウンロードする。
【００３３】
バス１０９０には、システムメモリ１０２０、記憶媒体１０４０が接続され、ダウンロードされるオブジェクトデータはシステムメモリ１０２０に格納され、適宜、記憶媒体１０４０に格納される。
【００３４】
バス１０９０には、コンピュータＳＶの種々の操作のための操作入力部１０７０、種々の画像表示のための表示部１０６２、表示部１０６２の表示制御のための表示制御部１０６０が接続されている。
【００３５】
バス１０９０にはＣＰＵ１０１０、ＲＯＭ１０３０が接続され、ＲＯＭ１０３０には、ＣＰＵ１０１０が実行するプログラム、その他のデータが記憶されている。ＣＰＵ１０１０は、サーバＰＭ１内のコンポーネント１０２０、１０３０、１０４０、１０６０、１０７０、１０８０およびその他のコンポーネントを制御する。
【００３６】
さらに、バス１０９０には、タイマ１０５０が接続され、ＣＰＵ１０１０は、その動作タイミング等をタイマ１０５０の計測時間に基づいて判断する。
【００３７】
ＣＰＵ１０１０において所定のプログラムを実行することによって、コンピュータＳＶは、ダウンロードに際しては、ユーザＰＭ１〜ＰＭｎ、ＨＭ１〜ＨＭｍ、ＣＬ１〜ＣＬＮに対して種々の条件を設定し得る。条件判断に際しては、ユーザＰＭ１〜ＰＭｎ、ＨＭ１〜ＨＭｍ、ＣＬ１〜ＣＬＮはユーザの情報をコンピュータＳＶに送信する。
【００３８】
コンピュータＳＶにおいて、ＣＰＵ１０１０、システムメモリ１０２０は、協働して、ユーザ情報に基づいて、オブジェクトデータの送信可否を判断する送信可否判断手段として機能し、また、ＣＰＵ１０１０、システムメモリ１０２０、通信Ｉ／Ｆ１０８０は、送信可と判断されたときに選択されたオブジェクトデータをユーザ側コンピュータに送信する送信手段として機能する。
【００３９】
図３において、ユーザ側コンピュータ（ＨＭ１を代表的に示す。）は、ネットワークＩＮに接続されて、コンピュータＳＶとの通信を実行するための通信インターフェース２０８０を有し、通信インターフェース２０８０はバス２０９０に接続されている。
【００４０】
コンピュータＨＭ１は、コンピュータＳＶと同様のＣＰＵ２０１０、システムメモリ２０２０、ＲＯＭ２０３０、記憶媒体２０４０、タイマ２０５０、表示制御部２０６０、表示部２０６２、操作入力部２０７０を有する。
【００４１】
コンピュータＨＭ１は、ＣＰＵ２０１０においてオブジェクトデータＯＢＪを利用する種々のプログラム、建築ＣＡＤプログラム（図４、図５）等の画像生成プログラム、電子カタログ利用プログラム（図６〜図８）等の画像表示プログラムを実行し、オブジェクトデータＯＢＪを選択し、取得する。
【００４２】
図９に示すように、各カタログデータ（例えばＣＴＤ１）は複数（例えばｒ個）のオブジェクトデータＯＢＪ１〜ＯＢＪｒよりなり、１個のカタログデータは１個のホルダに格納されている。各ホルダには、格納するカタログデータに対応した名称等の指標が付され、カタログデータを容易に参照し得る。
【００４３】
各オブジェクトデータ（例えばＯＢＪｊ）は、文字データのファイルＯＢＴ１，ｊ．ＥＸ１と画像データのファイルＯＢＩＭ１，ｊ．ＥＸ２とを含む。対応する文字データと画像データとは、例えば「ＯＢ」の部分を共通にする等、対応する名称とされ、対応関係が明らかである。ＥＸ１、ＥＸ２はファイルの拡張子である。
【００４４】
ファイルＯＢＴ１，ｊ．ＥＸ１には、例えばカタログＩＤＯＢＴｊ１、カタログ頒布者ＯＢＴｊ２、文字データＩＤＯＢＴｊ３、分類ＯＢＴｊ４、製品名ＯＢＴｊ５、製品番号ＯＢＴｊ６、希望価格ＯＢＴｊ７、在庫状況ＯＢＴｊ８、ＩＰアドレスＯＢＴｊ９が含まれる。
【００４５】
ファイルＯＢＩＭ１，ｊ．ＥＸ１には、例えばイメージデータＩＭＧｊ、ＣＡＤデータＣＡＤｊが含まれる。ＣＡＤデータとしては種々のデータ形式を採用し得るが、広く普及しているＣＡＤシステムのデータ形式とすることが好ましい。
【００４６】
オブジェクトデータＯＢＪｊは、文字データと画像データに分離して管理することにより、オブジェクトデータの修正、更新が容易である。すなわち、商品その他のオブジェクトデータ更新頻度は、その改廃等、文字データに関するものが大部分であり、文字データのみの更新で足りる。そして文字データは画像データに比較して容量がわずかである。特に、ユーザ側コンピュータＨＭ１〜ＨＭｍにダウンロードされたオブジェクトデータＯＢＪｊについては、コンピュータＳＶからネットワークＩＮを介して更新処理を行う必要があり、多くユーザ側コンピュータの大容量データを更新するには多大の処理時間を要する。その点、文字データの更新のみであれば、処理時間を大幅に短縮し得る。
【００４７】
オブジェクトデータＯＢＪｊの文字データおよび画像データは、特定データベースのための専用のファイルとせず、一般的に普及している文書処理ソフトウエア、画像表示ソフトウエアのファイル形式とすることが好ましい。これによって、多くの端末等から文字データおよび画像データの生成、修正、更新が可能となり、これらの処理を、効率的かつ迅速に実行し得る。
【００４８】
一方、画像生成プログラムおよび画像表示プログラムは、文字データおよび画像データのファイル名を参照することによって対応関係を把握する。
【００４９】
ＩＰアドレスＯＢＴｊ９は、商品等オブジェクトに関する情報を取得するためにユーザＨＭ１〜ＨＭｍ、ＣＬ１〜ＣＬＮが使用し、あるいはユーザＨＭ１〜ＨＭｍ、ＣＬ１〜ＣＬＮの情報を、建材メーカ等のユーザＰＭ１〜ＰＭｎに送信するために使用するもので、建材メーカの営業用ＨＰや、カタログデータＣＴＤやオブジェクトデータＯＢＪの管理のためのサーバ等のアドレスである。また、商品の販売が終了した場合、ＩＰアドレスを特定のアドレスに変更して、ユーザが容易に販売終了の情報を取得できるようにしてもよい。
【００５０】
コンピュータＨＭ１において、ＣＰＵ２０１０、システムメモリ２０２０は、協働して、１個のオブジェクトデータを構成する文字データ、画像データを抽出するオブジェクトデータ抽出手段として機能し、ＣＰＵ２０１０、システムメモリ２０２０、通信Ｉ／Ｆ２０８０は、ＩＰアドレスにアクセスするアクセス手段として機能する。
【００５１】
コンピュータＳＶにおいて、ＣＰＵ１０１０、システムメモリ１０２０、通信Ｉ／Ｆ１０８０は、協働して、コンピュータＨＭ１〜ＨＭｍ、ＣＬ１〜ＣＬＮにダウンロードされた画像データ、文字データの全部または一部を修正する、修正手段として機能する。
［画像生成プログラム］
【００５２】
オブジェクトデータ供給システムによって、ユーザ側コンピュータ（例えばＨＭ１）に供給されたオブジェクトデータは、例えば、建築ＣＡＤプログラム（図８、図１１）等の画像生成プログラムによって利用される。
【００５３】
図４は、図１のユーザ側コンピュータで実行される建築ＣＡＤプログラムの画面の例を示す図、図５は、図４の建築ＣＡＤプログラムの他の画面を示す図、図６は、図４の建築ＣＡＤプログラムから実行されるカタログ検索処理の画面の例を示す図、図７は、図６の画面で選択されたカタログの表示画面の例を示す図、図８は、図７の画面で選択された商品の表示画面の例を示す図である。
【００５４】
図４において、建築ＣＡＤプログラムの画面には、建築物を表示する表示部ＶＡと、表示部ＶＡに配置し得るオブジェクトデータを表示するオブジェクトデータ表示部ＯＢＡと、オブジェクトデータのカテゴリを表示するカテゴリ表示部ＯＢＨと、オブジェクトデータのサイズ、配置を設定するスケール設定部ＳＣが設けられる。さらに、画面には処理選択メニューＶＳ１、表示部ＶＡに表示する画像を選択するメニューＶＳ２、その他操作メニューＶＳ３が設けられている。
【００５５】
処理選択メニューＶＳ１には、部品ＤＬ、会社ＨＰ、関連商品、カタログ、製品情報のメニューが設けられ、図４、図５は部品ＤＬが選択された状態を示す。
【００５６】
処理選択メニューＶＳ１において、「部品ＤＬ」が選択されたときには、オブジェクトデータを選択、表示し、選択したオブジェクトデータにおけるＣＡＤデータＣＡＤｊを表示部ＶＡ内に配置し得る。「会社ＨＰ」が選択されたときには、オブジェクトデータＯＢＪのＩＰアドレスにアクセスし、オブジェクトデータに対応した商品を販売する建材メーカ等のＨＰにアクセスする。「関連商品」が選択されたときには、ＩＰアドレスにアクセスし、関連商品のオブジェクトデータの取得を可能とする。「カタログ」が選択されたときには、電子カタログ利用プログラムを起動する。「製品情報」が選択されたときには、選択されているオブジェクトデータにおける文字データを表示する。
【００５７】
図４では、メニューＶＳ２の設定によって外構を編集しており、カテゴリ表示部ＯＢＨでは外構に配置すべきオブジェクトデータとしてカーポートＣＰが選択されている。カーポートＣＰの選択によって、オブジェクトデータ表示部ＯＢＡには、複数のカーポートのオブジェクトデータＣＰ１、ＣＰ２、ＣＰ３、ＣＰ４、ＣＰ５の画像データが表示されている。
【００５８】
図５に示すように、オブジェクトデータ表示部ＯＢにおいて、例えばオブジェクトデータＣＰ５を選択すると、オブジェクトデータＣＰの詳細を示すオブジェクトデータウインドＯＢＷが表示される。このとき、ユーザのコンピュータＨＭ１からコンピュータＳＶに対してユーザの情報が送信される。
【００５９】
このとき、コンピュータＳＶはユーザ情報に基づいて、ユーザＨＭ１に対するオブジェクトデータＣＰ５の送信可否を判断する。コンピュータＳＶが、送信可と判断したときに、オブジェクトデータＣＰ５のデータをコンピュータＨＭ１に送信し、コンピュータＨＭ１では、オブジェクトデータＣＰ５の使用（配置）が可能になる。
【００６０】
オブジェクトデータＣＰ５のデータには、ＣＡＤデータ、テクスチャ、サムネイル、平面表示データ、配置情報（床置その他）、アクションコントロール（アニメーション）定義、商品情報の定義、その他が含まれる。
【００６１】
建築ＣＡＤプログラムに関して、コンピュータＨＭ１におけるＣＰＵ２０１０、システムメモリ２０２０、表示制御部２０６０および表示部２０６２は協働して画像表示手段として機能し、かつオブジェクトデータを画像中に配置するオブジェクトデータ配置手段として機能する。
【００６２】
図１３は、図４の建築ＣＡＤプログラムの処理を示すフローチャート、図１４は、図１３の建築ＣＡＤプログラムにおける部品ＤＬの処理を示すフローチャートである。
【００６３】
図１３において、建築ＣＡＤプログラムは以下の各ステップを実行する。
【００６４】
ステップＳ１３０１：まず、実行すべき処理を選択する。処理選択メニューＶＳ１において、「部品ＤＬ」を選択したときはステップＳ１３０２に進み、「会社ＨＰ」を選択したときはステップＳ１３０３に進み、「関連商品」を選択したときはステップＳ１３０４に進み、「カタログ」を選択したときはステップＳ１３０５に進み、「製品情報」を選択したときはステップＳ１３０６に進む。「その他の処理」が選択された場合の処理は、ステップＳ１３０７で代表する。
【００６５】
ステップＳ１３０２：オブジェクトデータ表示、オブジェクトデータの表示部ＶＡへの配置等の処理（図４、図５）を実行し、そのまま処理を終了する。
【００６６】
ステップＳ１３０３：会社ＨＰにアクセスし、ユーザの終了処理により、そのまま処理を終了する。
【００６７】
ステップＳ１３０４：関連商品を表示し、ユーザの終了処理により、そのまま処理を終了する。
【００６８】
ステップＳ１３０５：画像表示プログラムを実行し、ユーザの終了処理により、そのまま処理を終了する。
【００６９】
ステップＳ１３０６：製品情報を表示し、ユーザの終了処理により、そのまま処理を終了する。
【００７０】
ステップＳ１３０７：その他の操作を実行し、そのまま処理を終了する。
【００７１】
図１４において、図１３の部品ＤＬの処理（図４、図５）は以下の各ステップによって処理される。
【００７２】
ステップＳ１４０１：まず、実行すべき処理を選択する。表示部ＶＡにおけるオブジェクトデータの配置、編集を行う際には、ステップＳ１４０２に進み、オブジェクトデータのスケール設定を行う際にはステップＳ１４０３に進み、オブジェクトデータのカテゴリを選択、変更する際にはステップＳ１４０３に進み、オブジェクトデータの詳細を表示する際にはステップＳ１４０５に進む。「その他の処理」を実行する場合の処理は、ステップＳ１４０６で代表する。
【００７３】
ステップＳ１４０２：オブジェクトデータ表示部ＯＢでのオブジェクトデータ（例えばＣＰ５）の選択、オブジェクトデータＣＰ５の表示部ＶＡ内への配置、オブジェクトデータＣＰ５の移動等を実行し、ステップＳ１４０７に進む。
【００７４】
ステップＳ１４０２：オブジェクトデータ表示部ＯＢでのオブジェクトデータ（例えばＣＰ５）の選択、オブジェクトデータＣＰ５の表示部ＶＡ内への配置、オブジェクトデータＣＰ５の移動等を実行し、ステップＳ１４０７に進む。
【００７５】
ステップＳ１４０３：選択したオブジェクトデータのスケールがスケール設定部ＳＣに入力されたときに、そのスケールを取得し、ステップＳ１４０８に進む。
【００７６】
ステップＳ１４０４：カテゴリ表示部ＤＢＨにおいていずれかのカテゴリが選択されたときに、そのカテゴリを取得し、ステップＳ１４０９に進む。
【００７７】
ステップＳ１４０５：オブジェクトデータ表示部ＯＢにおいていずれかのオブジェクトデータが選択されたときに、そのオブジェクトデータを取得し、ステップＳ１４１０に進む。
【００７８】
ステップＳ１４０６：その他の操作を実行し、そのまま処理を終了する。
【００７９】
ステップＳ１４０７：配置、編集されたオブジェクトデータについてのスケールに変更が生じたときは、スケール表示部ＳＣに表示し、そのまま処理を終了する。
【００８０】
ステップＳ１４０８：取得したスケールに、オブジェクトデータを設定し、そのまま処理を終了する。
【００８１】
ステップＳ１４０９：選択されたカテゴリのオブジェクトデータを、オブジェクトデータ表示部に表示し、そのまま処理を終了する。
【００８２】
ステップＳ１４１０：図５に示すように、選択されたオブジェクトデータ（例えばＣＰ５）について、オブジェクトデータウインドＯＢＷを表示し、そのまま処理を終了する。
［画像表示プログラム］
【００８３】
図６は、図４の建築ＣＡＤプログラムから実行されるカタログの処理の画面の例を示す図、図７は、図６の画面で選択されたカタログの表示画面の例を示す図、図８は、図７の画面で選択された商品の表示画面の例を示す図である。図１５は、図１３の建築ＣＡＤプログラムにおけるカタログの処理を示すフローチャートである。
【００８４】
図６において、電子カタログ利用プログラムにおいては、複数のカタログから１個のカタログを選択するためのカタログ選択画面が表示される。カタログ選択画面には、既にダウンロードされているカタログの一覧５０１、カタログを分類で検索するための分類選択ボックス５０２、カタログをキーワードで検索するためのキーワード入力ボックス５０３、カタログの一覧５０１をスクロールするための上スクロールボタン５０４、下スクロールボタン５０５、上高速スクロールボタン５０６、下高速スクロールボタン５０７、カタログ選択を実行するための実行ボタン５０８が表示されている。
【００８５】
一覧５０１における各カタログ表示欄５０９には選択のためのラジオボタン５１０が設けられ、ラジオボタン５１０をＯＮにした後に、実行ボタン５０８を押すと、選択されたカタログの内容が表示される。
【００８６】
図７において、図６の画面（オブジェクト選択画面）で選択されたカタログ、例えば、ＢＢＢＢ株式会社の建築設備カタログが表示される。
【００８７】
オブジェクト選択画面には、カタログに登録されたオブジェクト（例えば、個々の建築設備商品）の一覧６０１の一部（図６では、流し台のオブジェクトＯＢ１、ＯＢ２、ＯＢ３、ＯＢ４）が表示される。オブジェクト選択画面には、カタログをキーワードで検索するためのキーワード入力ボックス６０２、オブジェクト一覧６０１をスクロールするための上スクロールボタン６０３，下スクロールボタン６０４、上高速スクロールボタン６０５、下高速スクロールボタン６０６、カタログの第１のユーザ（例えば、ハウスメーカ）を記入する第１ユーザ記入欄６０７が表示されている。
【００８８】
オブジェクト選択画面において、いずれかのオブジェクト（例えば、流し台ＯＢ１）を選択すると、オブジェクトＯＢ１の詳細が表示（オブジェクト表示画面）される。
【００８９】
図８において、オブジェクトの分類（例えば、キッチン設備）を表示する分類表示欄７０３、オブジェクトの商品名（例えば、流し台）を表示する商品名表示欄７０４、オブジェクトの商品番号（例えば、ＸＸ−１２３４）を表示する商品番号表示欄７０５、在庫状況（例えば、即納）を表示する在庫状況表示欄７０６、価格を表示する価格表示欄７０７、オブジェクトをイメージ表示するイメージ表示欄７１０が設けられている。
【００９０】
価格表示欄７０７には希望価格表示欄７０７Ａ、見積価格表示欄７０７Ｂ、見積ボタン７０７Ｃが設けられている。希望価格表示欄７０７Ａには、価格の目安として、カタログ頒布者の希望価格（例えば、百万円）が表示される。見積ボタン７０７Ｃは、カタログ頒布者に対する見積依頼をネットワークＩＮを通じて送信するためのラジオボタンである。見積価格表示欄７０７Ｂには、見積依頼に対してカタログ頒布者が回答した見積価格が表示される。
【００９１】
見積ボタン７０７Ｃによる見積依頼を行ったときの、オブジェクトデータ供給者側コンピュータＳＶにおいては、事前のユーザ登録を条件として回答可否を判断する等、種々の条件設定が可能である。
【００９２】
図１５において、図１３の建築ＣＡＤプログラムにおけるカタログの処理は、以下の各ステップによって実行される。
【００９３】
ステップＳ１５０１：まず、図６に示すように、カタログ一覧を表示し、ステップＳ１５０２に進む。
【００９４】
ステップＳ１５０２：図６の一覧表示において、いずれかのカタログが選択されたか否か判断する。カタログが選択されたときは、ステップＳ１５０３に進み、カタログが選択されなかったときは、ステップＳ１５１０に進む。
【００９５】
ステップＳ１５０３：図７に示すように、選択されたカタログを表示し、ステップＳ１５０４に進む。
【００９６】
ステップＳ１５０４：図７のカタログ表示において、いずれかのオブジェクトデータが選択されたか否か判断する。オブジェクトデータが選択されたときは、ステップＳ１５０５に進み、オブジェクトデータが選択されなかったときは、ステップＳ１５１１に進む。
【００９７】
ステップＳ１５０５：図８に示すように、選択されたオブジェクトデータを表示し、ステップＳ１５０６に進む。
【００９８】
ステップＳ１５０６：図８のオブジェクトデータ表示において、見積ボタン７０７Ｃによる見積依頼が実行されたか否かを判断する。見積依頼が実行されたときは、ステップＳ１５０７に進み、見積依頼が実行されなかったときは、ステップＳ１５０８にジャンプする。
【００９９】
ステップＳ１５０７：見積依頼を建材メーカ等に送信し、ステップＳ１５０８に進む。
【０１００】
ステップＳ１５０８：送信済みの見積依頼に対する回答を受信したか否かを判断する。見積回答を受信したときは、ステップＳ１５０９に進み、見積回答を受信していないときは、ステップＳ１５１２にジャンプする。
【０１０１】
ステップＳ１５０９：見積価格表示欄７０７Ｂに見積価格を表示し、ステップＳ１５１２に進む。
【０１０２】
ステップＳ１５１０：ユーザ操作等による終了処理が実行されたか否かを判断する。終了処理が実行されたときは、そのまま処理を終了し、終了処理が実行されていないときは、ステップＳ１５０１に戻る。
【０１０３】
ステップＳ１５１１：ユーザ操作等による終了処理が実行されたか否かを判断する。終了処理が実行されたときは、そのまま処理を終了し、終了処理が実行されていないときは、ステップＳ１５０３に戻る。
【０１０４】
ステップＳ１５１２：ユーザ操作等による終了処理が実行されたか否かを判断する。終了処理が実行されたときは、そのまま処理を終了し、終了処理が実行されていないときは、ステップＳ１５０５に戻る。
【０１０５】
図６〜図８に関連して説明する電子カタログ利用プログラムは、建築ＣＡＤプログラム（画像生成プログラム）にサブシステムとして組み込まれているが、独立のプログラムとしてもよい。
【０１０６】
図６〜図８の電子カタログ表示に関して、コンピュータＨＭ１は電子カタログ表示装置として機能し、ＣＰＵ２０１０、システムメモリ２０２０、表示制御部２０６０および表示部２０６２は協働して電子カタログ表示手段として機能する。
【０１０７】
コンピュータＨＭ１において、ＣＰＵ２０１０、システムメモリ２０２０、操作入力手段２０７０は協働して、カタログを選択するカタログ選択手段、およびオブジェクトを選択するオブジェクト選択手段として機能する。
［オブジェクトデータのデータ構造の変形例］
［変形例１］
【０１０８】
図９のオブジェクトデータにおいては、ＩＰアドレスＯＢＴｊ９は、文字データＯＢＴ２，ｊに含まれていたが、図１０に示すように、ＩＰアドレスを文字データとは別個のデータ群ＯＢＩＰ１，１〜ＯＢＩＰ１，ｒとし、そのファイル名から画像データおよび文字データと関連付け、１個のオブジェクトデータＯＢＪｊとしてもよい。
【０１０９】
これによって、ＩＰアドレスのみの修正、更新が容易になる。
【０１１０】
図１０においては、画像データは図９と同様に構成され、文字データは図９のデータからＩＰアドレスを除いた構成とされている。
［変形例２］
【０１１１】
図１１のデータ構造において、図９のデータ構造に対して、文字データとして送信可フラグＯＢＴ１，０．ＥＸ１を追加し、文字データにおける各データＯＢＴ１，１〜ＯＢＴ１，ｒに送信可フラグＯＢＴｊ０〜ＯＢＴｒ０を追加している。
【０１１２】
送信可フラグＯＢＴ１，０．ＥＸ１はユーザがオブジェクトデータ（ＯＢＪ１〜ＯＢＪｒ）のいずれかを、ＣＡＤプログラムで表示部ＶＡに配置し、あるいはカタログにおいて参照したときに、その旨をＩＰアドレスに送信することを許可する指標であり、ユーザは、送信可フラグＯＢＴ１，０．ＥＸ１を自らオン・オフし得る。
【０１１３】
送信可フラグＯＢＴｊ０はユーザが該オブジェクトデータ（ＯＢＪｊ）を、ＣＡＤプログラムで表示部ＶＡに配置し、あるいはカタログにおいて参照したときに、その旨をＩＰアドレスに送信することを許可する指標であり、ユーザは、送信可フラグＯＢＴｊ０を自らオン・オフし得る。
【０１１４】
これによってカタログ頒布者はオブジェクトデータの使用状況に関する情報を取得できる。一方、ユーザは、使用状況の情報送信を自ら自由に設定でき、ユーザの情報が無条件でカタログ頒布者に送信されることはないので、ユーザは不測の情報漏洩を危惧することなく、安心して電子カタログを利用できる。
［変形例３］
【０１１５】
図１２のデータ構造において、図１０のデータ構造に対して、ＩＰアドレスのデータとして送信可フラグＯＢＩＰ１，０．ＥＸ１を追加し、各ＩＰアドレスデータＯＢＩＰ１，１〜ＯＢＩＰ１，ｒに送信可フラグＴＲＦ１〜ＴＲＦｒを追加している。
【０１１６】
これによって、変形例１の効果に加え、変形例２の効果が得られる。
【０１１７】
図１６に示すように、コンピュータＰＭ１から送信されたオブジェクトデータ使用に関するユーザ情報について、カタログ頒布者において、例えば、、ユーザ名（ＵＮ１）と、オブジェクト利用（配置、参照）の回数を集計した表にまとめられる。
【０１１８】
図１６の表では、カタログＩＤ（例えばＺＺＺ８８００ＲＲＲ）、オブジェクトＯＢ１の利用ユーザ（例えば、イイイイ株式会社、ロロロロ株式会社、ニニニニ株式会社）について、利用回数がイイイイ株式会社が３０回、ロロロロ株式会社が１０８回、ニニニニ株式会社が８８回、オブジェクトＯＢｒの利用ユーザ（例えば、ホホホホ株式会社、ヘヘヘヘ株式会社、トトトト株式会社）について、利用回数がホホホホ株式会社が４６回、ヘヘヘヘ株式会社が６２回、トトトト株式会社が４０２回のデータが記録されている。
［画像表示プログラムの変形例］
【０１１９】
データ構造変形例２、３を採用した際には、図７、図８のカタログ参照の画面は、例えば図１７、図１８のように変形される。
【０１２０】
図１７において、カタログ表示画面（オブジェクト選択画面）には、図７の構成に加え、第１ユーザの情報の送信可否を設定する第１ユーザ送信可否設定欄６０８が表示されている。第１ユーザ送信可否設定欄６０８には、送信可否を入力するラジオボタン６０８Ａ（ＯＮで送信可）、および送信可否設定権限の認証のためのパスワード記入欄６０８Ｂが設けられている。パスワードはユーザ登録等に際してあらかじめユーザごとに設定されており、パスワードを入力しなければ、送信可否を変更できない。
【０１２１】
図１８において、オブジェクト表示画面には、図８の構成に加え、第１ユーザ記入欄７０１、第２ユーザ記入欄７０２に、第１ユーザ送信可否設定欄７０８、第２ユーザ送信可否設定欄７０９がそれぞれ設けられている。
【０１２２】
第１ユーザ送信可否設定欄７０８には、送信可否を入力するラジオボタン７０８Ａ（ＯＮで送信可）、および送信可否設定権限の認証のためのパスワード記入欄７０８Ｂが設けられている。第２ユーザ送信可否設定欄７０９には、送信可否を入力するラジオボタン７０９Ａ（ＯＮで送信可）、および送信可否設定権限の認証のためのパスワード記入欄７０９Ｂが設けられている。
【０１２３】
オブジェクトデータの配置、参照に際して、ラジオボタン７０８Ａ、７０９Ａによって送信可と設定されているときに、ユーザの情報がカタログ頒布者（例えば、ＢＢＢＢ株式会社）に送信される。
【０１２４】
また、オブジェクト選択画面（図１７）の第１ユーザ送信可否設定欄６０８によって送信可を設定しておくと、全てのオブジェクトに関して、ユーザの情報がカタログ頒布者に送信される。なお、図１８では第１ユーザの情報のみについて送信可否を設定しているが、第２ユーザあるいはより多くのユーザについて送信可否を設定することも当然可能である。
【０１２５】
また、図１８では第１、第２ユーザのみの情報送信可否を設定しているが、より多くのユーザについて送信可否を設定することも当然可能である。
【０１２６】
図１９において、図１７、図１８の変形例におけるユーザ情報送信の処理は以下の各ステップによって実行される。
【０１２７】
ステップＳ１９０１：ます、オブジェクトデータの使用（配置、参照）が行われたか否かを判断する。オブジェクトデータが使用されたときはステップＳ１９０２に進み、使用されなかったときはそのまま処理を終了する。
【０１２８】
ステップＳ１９０２：全オブジェクトデータについてユーザ情報が送信可に設定されているか否か、すなわち、ラジオボタン６０８ＡがＯＮか否か判断する。ラジオボタン６０８ＡがＯＮのときはステップＳ１９０３に進み、ＯＦＦのときはステップＳ１９０４に進む。
【０１２９】
ステップＳ１９０３：ユーザ情報を送信し、そのまま処理を終了する。
【０１３０】
ステップＳ１９０４：使用されたオブジェクトデータについてユーザ情報が送信可に設定されているか否か、すなわち、ラジオボタン７０８Ａまたは７０９ＡがＯＮか否か判断する。ラジオボタン７０８ＡがＯＮのときは、第１ユーザのユーザ情報を送信すべく、ステップＳ１９０３に進む。ラジオボタン７０９ＡがＯＮのときは、第２ユーザのユーザ情報を送信すべく、ステップＳ１９０３に進む。ラジオボタン７０８Ａ、７０９ＡがいずれもＯＦＦのときは、そのまま処理を終了する。
【０１３１】
前記データ構造変形の実施例では、電子カタログ利用に際して送信可否を設定したが、ユーザ登録時に送信可否を設定し、あるいは、予め設定した送信可否についてユーザが同意を与える方式を採用することも可能である。
【０１３２】
また、本発明の適用範囲は上記実施例に限定されるものではなく、建築業界以外の業種、機械、電気その他の業種のオブジェクトデータ、電子カタログに適用し得ることはいうまでもない。
【図面の簡単な説明】
【０１３３】
【図１】本発明に係るオブジェクトデータ供給システムの一実施例を示すブロック図である。
【図２】図１のオブジェクトデータ供給者側コンピュータを示すブロック図である。
【図３】図１のユーザ側コンピュータを示すブロック図である。
【図４】図１のユーザ側コンピュータで実行される建築ＣＡＤプログラムの画面の例を示す図である。
【図５】図４の建築ＣＡＤプログラムの他の画面を示す図である。
【図６】図４の建築ＣＡＤプログラムから実行されるカタログ検索処理の画面の例を示す図である。
【図７】図６の画面で選択されたカタログの表示画面の例を示す図である。
【図８】図７の画面で選択された商品の表示画面の例を示す図である。
【図９】図１のオブジェクトデータ供給システムで供給されるオブジェクトデータの例を示す図である。
【図１０】図１のオブジェクトデータ供給システムで供給されるオブジェクトデータの他の例を示す図である。
【図１１】図１のオブジェクトデータ供給システムで供給されるオブジェクトデータのさらに他の例を示す図である。
【図１２】図１のオブジェクトデータ供給システムで供給されるオブジェクトデータのさらに他の例を示す図である。
【図１３】図４の建築ＣＡＤプログラムの処理を示すフローチャートである。
【図１４】図１３の建築ＣＡＤプログラムにおける部品ＤＬの処理を示すフローチャートである。
【図１５】図１３の建築ＣＡＤプログラムにおけるカタログの処理を示すフローチャートである。
【図１６】オブジェクトデータ供給者側コンピュータにおいて生成される、電子カタログ利用状況のデータを示す図である。
【図１７】カタログ検索処理の変形例で選択されたカタログの表示画面の例を示す図である。
【図１８】図１７の画面で選択された商品の表示画面の例を示す図である。
【図１９】図１７、図１８の処理におけるユーザ情報送信の処理の例を示すフローチャートである。
【符号の説明】
【０１３４】
ＰＭ１〜ＰＭｎ  サーバ
ＨＭ１〜ＨＭｍ、ＣＬ１〜ＣＬＮ  クライアント
１０１０、２０１０  ＣＰＵ
１０２０、２０２０  システムメモリ
１０３０、２０３０  ＲＯＭ
１０４０、２０４０  記憶媒体
１０５０、２０５０  タイマ
１０６０、２０６０  表示制御部
１０６２、２０６２  表示部
１０７０、２０７０  操作入力部
１０８０、２０８０  通信Ｉ／Ｆ  
【図１】
2008193531.tif 000003
【図２】
2008193531.tif 000004
【図３】
2008193531.tif 000005
【図４】
2008193531.tif 000006
【図５】
2008193531.tif 000007
【図６】
2008193531.tif 000008
【図７】
2008193531.tif 000009
【図８】
2008193531.tif 000010
【図９】
2008193531.tif 000011
【図１０】
2008193531.tif 000012
【図１１】
2008193531.tif 000013
【図１２】
2008193531.tif 000014
【図１３】
2008193531.tif 000015
【図１４】
2008193531.tif 000016
【図１５】
2008193531.tif 000017
【図１６】
2008193531.tif 000018
【図１７】
2008193531.tif 000019
【図１８】
2008193531.tif 000020
【図１９】
2008193531.tif 000021